(57)【要約】【課題】  カバーをバッテリホルダに対して容易に着脱可能にする。【解決手段】  バッテリＢが載置される底面４及び一対の側面５、６を有するバッテリホルダ１と、バッテリホルダ１に載置されたバッテリＢを覆うとともに、バッテリホルダの側面５、６に重なり合う一対の側面２６、２７を有するカバー３と、バッテリホルダ１の側面５、６に設けられた傾斜する受け面１２ａ、１４ａと、カバー３の側面２６、２７に設けられた傾斜面２６ａ、２７ａとを備え、カバー３をバッテリホルダ１に取り付けた状態で、傾斜面２６ａ、２７ａが受け面１２ａ、１４ａに重なり合う構成となっている。【選択図】        図２
2007045294.tif 000002
【特許請求の範囲】
【請求項１】
バッテリが載置される底面及び一対の側面を有するバッテリホルダと、
前記バッテリホルダに載置されたバッテリを覆うとともに、前記バッテリホルダの側面に重なり合う一対の側面を有するカバーと、
前記バッテリホルダの側面に設けられた傾斜する受け面と、
前記カバーの側面に設けられた傾斜面とを備え、
前記カバーを前記バッテリホルダに取り付けた状態で、前記傾斜面が前記受け面に重なり合う構成にしたことを特徴とするバッテリボックス。
【請求項２】
前記傾斜面は前記カバーの側面に対して段差をもって形成されていることを特徴とする請求項１に記載のバッテリボックス。
【請求項３】
前記バッテリホルダの両側面のカバー側の縁部に沿ってそれぞれ外側に出っ張るように折曲部が形成されており、前記カバーを前記バッテリホルダに近付けて押し込むことにより、前記傾斜面が弾性変形して前記折曲部の外端部を乗り越えた後、前記傾斜面が弾性復帰して前記受け面に重なり合う構成にしたことを特徴とする請求項１又は２に記載のバッテリボックス。
【請求項４】
前記受け面及び前記傾斜面には連結部材を挿入するための穴が形成されていることを特徴とする請求項１〜３のいずれか１項に記載のバッテリボックス。
【請求項５】
前記カバーの裏側に前記バッテリ側に突出するように支持部が設けられており、前記カバーを前記バッテリホルダに取り付けた状態で、前記支持部が前記バッテリホルダの底面上に載るかたちとなることを特徴とする請求項１〜４のいずれか１項に記載のバッテリボックス。
【請求項６】
前記支持部に設けられた下方に突出する突部と、前記バッテリホルダの底面に形成された係合穴とを備え、前記カバーを前記バッテリホルダに取り付けた状態で、前記支持部が前記バッテリホルダの底面上に載るかたちとなり、前記突部が前記係合穴に挿入されることを特徴とする請求項５に記載のバッテリボックス。
【発明の詳細な説明】
【技術分野】
【０００１】
本発明は、主にトラック等の車両に搭載されるバッテリを格納するためのバッテリボックスに関する。
【背景技術】
【０００２】
荷物を運搬するトラックにおいて、車両の左右において前後方向に延伸するフレーム上に荷台が支持されており、そのうち片側のフレームの車幅方向外側に、バッテリを格納するためのバッテリボックスが配設されたものがある。
【０００３】
このようにバッテリを外部に露出させた状態で搭載する場合、バッテリが走行中の泥水（図１の矢印を参照）や粉塵により汚れやすくなってしまう。そこで、泥水や粉塵による汚れを防ぐために、多くの場合、バッテリボックスの構成として、バッテリホルダにバッテリを載置するとともに、そのバッテリをカバーで覆う構成が採用されている。
【０００４】
バッテリボックスのカバーは、走行中の振動等により外れてしまわないように、ねじやクリップ等を用いてバッテリホルダに確実に取り付けることが要求される。その一方で、バッテリの点検、電解液の補充等が必要であることから、カバーはバッテリホルダに対して容易に着脱できることが望まれる。
【０００５】
例えば特許文献１には、バッテリ外側を覆うカバーを、格納位置及びバッテリの外側を開放する開放位置に変位させることができるようにしたトラック用のバッテリ格納装置が開示されている。すなわち、特許文献１に開示されたバッテリ格納装置では、カバーに透溝を形成し、その透溝に支持台（バッテリホルダ）に回転自在に取り付けられた係止部材を挿通する構成とし、係止部材が、第１の回転角位置において錠止部内に係止され、かつ、第２の回転角位置において透溝に沿って自在に相対変位し得るようになっている。
【０００６】
【特許文献１】特開平５−５８１７０号公報
【発明の開示】
【発明が解決しようとする課題】
【０００７】
しかしながら、特許文献１に開示されたバッテリ格納装置では、透溝に係止部材を挿通する等しなければならず、構成が複雑となってしまう。特に係止部材が透溝に沿って相対変位する構成となっているが、上述したように泥水や粉塵により汚れやすいことから、係止部材と透溝との間に泥や粉塵が噛み込む等してスムーズな動きが妨げられるおそれもある。
【０００８】
また、バッテリの点検、電解液の補充等の作業を考慮すると、カバーを完全にバッテリホルダから取り外した方が作業性を向上させることができるが、カバーをバッテリホルダに対して着脱する際に、バッテリホルダに対するカバーの位置決めを容易に行ったり、ねじやクリップ等の取り付けや取り外しを容易に行ったりできるようにする提案はなされていない。特に泥水や粉塵により汚れた状態では、カバーの位置決め作業や、ねじやクリップ等の取り付け・取り外し作業がさらに困難になってしまう。
【０００９】
本発明は上記の点に鑑みてなされたものであり、カバーをバッテリホルダに対して容易に着脱可能にすることを目的とする。
【課題を解決するための手段】
【００１０】
本発明によるバッテリボックスは、バッテリが載置される底面及び一対の側面を有するバッテリホルダと、前記バッテリホルダに載置されたバッテリを覆うとともに、前記バッテリホルダの側面に重なり合う一対の側面を有するカバーと、前記バッテリホルダの側面に設けられた傾斜する受け面と、前記カバーの側面に設けられた傾斜面とを備え、前記カバーを前記バッテリホルダに取り付けた状態で、前記傾斜面が前記受け面に重なり合う構成にした点に特徴を有する。
【発明の効果】
【００１１】
本発明によれば、カバーをバッテリホルダに取り付ける際に、カバー側の傾斜面をバッテリホルダ側の傾斜する受け面に重なり合うようにすればよいので、バッテリホルダに対するカバーの位置決めを容易に行うことができる。また、カバー側の傾斜面に対してねじやクリップ等の連結部材を取り付けたり、取り外したりすればよいので、その作業性を向上させることができる。このようにカバーをバッテリホルダに対して容易に着脱可能にすることができる。
【発明を実施するための最良の形態】
【００１２】
以下、図面に基づいて、本発明による好適な実施形態を説明する。
図１には、本実施形態のバッテリボックスが搭載されるトラックの一例を示す。同図に示すトラックでは、運転者や同乗者の居住空間となる客室（キャビン）１０１と、荷物を積載する荷台（デッキ）１０２とが連設されており、荷台１０２は車両の左右において前後方向に延伸するフレーム１０３上に支持される。この種のトラックにおいては、前輪１０４と後輪１０５との中間位置であって、片側のフレーム１０３（図１では左側のフレーム１０３）の車幅方向外側に、バッテリＢを格納するためのバッテリボックス１００が配設される。
【００１３】
本実施形態のバッテリボックス１００は、図２に示すように、バッテリＢが載置されるバッテリホルダ１と、バッテリホルダ１に載置されたバッテリＢを固定するバンド２と、バッテリホルダ１に載置されたバッテリＢを覆うカバー３とにより構成される。なお、本明細書においては、バッテリボックス１００をトラックに搭載した状態で車両（フレーム１０３）に近い側を「車両側」、車両から離れる側を「反車両側」或いは「カバー３側」と称する。
【００１４】
バッテリホルダ１は、適宜な形状を有する金属板を曲げ加工したものであり、図３にも示すように、バッテリＢが載置される底面４と、一対の側面５、６とにより構成される。さらに、底面４の車両側の縁部において内側（上方）に立ち上がる接合面７と、側面５の車両側の縁部において内側（側面６側）に立ち上がる接合面８と、側面６の車両側の縁部において内側（側面５側）に立ち上がる接合面９とを有し、これら接合面７、８、９を介してバッテリホルダ１がフレーム１０３やフレーム１０３から下方に延びるサスペンションブラケット１０６に固着される。
【００１５】
底面４には、底面４の一部をバッテリホルダ１の内側に押出すようにして台状をなす２つのバッテリ載置部１０が形成されている。これらバッテリ載置部１０の適所には、バッテリホルダ１の内側にさらに一段押出すようにして位置決め部１１が形成されている。位置決め部１１間の寸法は、バッテリＢの幅方向の寸法に対応させている。このようにバッテリ載置部９及び位置決め部１０を形成することにより、バッテリホルダ１の剛性を高めるとともに、バッテリＢの幅方向への移動を規制することができる。
【００１６】
また、側面５には、側面５の一部をバッテリホルダ１の外側に押出すようにして凸状部１２が形成されている。このように凸状部１２を形成することにより、バッテリホルダ１の剛性を高めることができる。これら凸状部１２の一部において、車両側から反車両側にかけて低くなるように、換言すればカバー３側に面を向けるように傾斜する受け面１２ａが形成されている。受け面１２ａは、後述するようにカバー３の傾斜面２６ａを受けるものであり、クリップ３１を差し込むための穴１３が形成されている。
【００１７】
同様に、側面６にも凸状部１４が形成されており、その一部において、車両側から反車両側にかけて低くなるように、換言すればカバー３側に面を向けるように傾斜する受け面１４ａが形成されている。受け面１４ａは、後述するようにカバー３の傾斜面２７ａを受けるものであり、クリップ３３を差し込むための穴１５が形成されている。
【００１８】
ここで、底面４のカバー３を取り付ける側（反車両側）の縁部に沿って、外側（下方）に出っ張るようにして折曲部１６が形成されている。また、一対の側面５、６のカバー３を取り付ける側（反車両側）の縁部及び上縁部に沿って、それぞれ外側（車両前後方向側）に出っ張るようにして折曲部１７、１８が形成されている。このように折曲部１６、１７、１８を形成することにより、バッテリホルダ１の剛性を高めることができる。
【００１９】
なお、側面６には、バンド２の一端を曲げて形成した掛け止め部２１を掛け止めるための掛け止め穴１９が形成されている。また、側面５には、後述するバッテリボルト２２を係合させるための係合穴２０が形成されている。
【００２０】
バンド２は、図２に示すように、バッテリホルダ１の一対の側面５、６間を架け渡すように設けられる。具体的には、バンド２の一端を曲げて形成した掛け止め部２１を側面６に形成された掛け止め穴１９に掛け止めるとともに、バンド２の他端にバッテリボルト２２を挿入し、バッテリボルト２２の先端の曲げ部分を側面５に形成された係合穴２０に係合させ、バッテリボルト２２のバンド２側の端部に形成されたネジにナットを締め付けることにより、バンド２にてバッテリＢを固定する。
【００２１】
また、バンド２には、バッテリホルダ１に載置されたバッテリＢの上面に引っ掛けることのできる引っ掛け部２３が設けられており、これによりバッテリＢの上下振動を抑えることができる。
【００２２】
カバー３は、樹脂製であり、図２に示すように、バッテリホルダ１に載置されたバッテリＢの正面（反車両側の面）を覆う前面２４と、バッテリホルダ１に載置されたバッテリＢの上面を覆う上面２５と、バッテリホルダ１の側面５、６の一部に重なり合う一対の側面２６、２７とにより構成される。
【００２３】
前面２４には細長い開口２８が形成されており、カバー３で覆った状態でもバッテリＢの液量確認が可能となっている。
【００２４】
また、前面２４の裏側（車両側の面）の下部には、バッテリＢ側に突出する一対の支持部２９が設けられる。これら支持部２９は横断面が溝型を有するものであり、底面には下方に突出する突部２９ａが形成されている。カバー３をバッテリホルダ１に取り付けるときに、これら支持部２９の底面がちょうどバッテリホルダ１の底面４上に当接し（底面４上にちょうど載るかたちとなり）、バッテリホルダ１に対してカバー３の上下方向の位置決めとなっている。また、突部２９ａがバッテリホルダ１の底面４に形成された係合穴３０に挿入されるようになっていて、バッテリホルダ１に対してカバー３の水平方向の位置決めとなっている。
【００２５】
側面２６は、バッテリホルダ１の側面５の一部、具体的にはバッテリボックス１の側面５のうち凸状部１２より反車両側の部分に重なり合うものである。そして、側面２６には、バッテリボックス１の受け面１２ａに対応する位置において、側面２６に対して段差をもって内側に位置するように傾斜面２６ａが一体形成されている。傾斜面２６ａは、その外面及び内面ともに傾斜するものであって、バッテリホルダ１側に面を向けるように傾斜する。傾斜面２６ａには、クリップ３１を差し込むための穴３２が形成されている。
【００２６】
同様に、側面２７は、バッテリホルダ１の側面６の一部、具体的にはバッテリボックス１の側面６のうち凸状部１４より反車両側の部分に重なり合うものである。そして、側面２６には、バッテリボックス１の受け面１４ａに対応する位置において、側面２７に対して段差をもって内側に位置するように傾斜面２７ａが一体形成されている。傾斜面２７ａは、その外面及び内面ともに傾斜するものであって、バッテリホルダ１側に面を向けるように傾斜する。傾斜面２７ａには、クリップ３３を差し込むための穴３４が形成されている。
【００２７】
ここで、バッテリホルダ１の両側面５、６において受け面１２ａ、１４ａは対称的に配置され、カバー３の両側面２６、２７においても傾斜面２６ａ、２７ａは対称的に配置されている。そして、図５（ａ）に示すように、バッテリホルダ１の両側面５、６に形成された折曲部１７、１８外端部間の幅Ａに比べて、カバー３の傾斜面２６ａ、２７ａ内面の最大幅Ｂmaxは大きく（Ｂmax＞Ａ）、内面の最小幅Ｂminは小さく（Ｂmin＜Ａ）なっている。
【００２８】
以上述べたバッテリボックスにバッテリＢを格納する場合は、バッテリホルダ１にバッテリＢを載置とともに、バンド２を装着してバッテリＢを固定する（図２に示す状態）。
【００２９】
その後、バッテリホルダ１にカバー３を取り付けるのであるが、上述したように、バッテリホルダ１の両側面５、６に形成された折曲部１７、１８外端部間の幅Ａに比べて、カバー３の傾斜面２６ａ、２７ａ内面の最大幅Ｂmaxが大きいので（Ｂmax＞Ａ）、カバー３をバッテリホルダ１に近付けると（図５（ａ）の矢印Ｘ）、折曲部１７、１８外端部が傾斜面２６ａ、２７ａの内面にそれぞれ当接する。
【００３０】
折曲部１７、１８外端部が傾斜面２６ａ、２７ａの内面にそれぞれ当接した状態で、カバー３をバッテリホルダ１側に押し込むと、カバー３が折曲部１７、１８外端部にガイドされてセンタリングされるとともに、カバー３の両傾斜面２６ａ、２７ａが折曲部１７、１８外端部に押されて広がるように弾性変形する。このようにカバー３の両傾斜面２６ａ、２７ａが折曲部１７、１８外端部に押されて広がるように弾性変形した状態では、カバー３を仮保持させておくことも可能である。
【００３１】
そして、そのままカバー３をバッテリホルダ１側に押し込むと、傾斜面２６ａ、２７ａの弾性変形により傾斜面２６ａ、２７ａ内面の最小幅部分が折曲部１７、１８外端部を乗り越える。乗り越えた後、傾斜面２６ａ、２７ａが弾性復帰してその間隔が元に戻る。この状態では、折曲部１７、１８外端部間の幅Ａよりも内面の最小幅Ｂminが小さいことから、折曲部１７、１８と段差が引っかかり、カバー３を仮保持させておくことも可能である。乗り越えた後、図５（ｂ）に示すように、傾斜面２６ａ、２７ａが受け面１２ａ、１４ａにそれぞれ重なり合うことになる。
【００３２】
また、上述したように、カバー３の支持部２９の底面がちょうどバッテリホルダ１の底面４上に載るかたちとなり、突部２９ａがバッテリホルダ１の底面４に形成された係合穴３０に挿入される。これにより、カバー３が脱落するのを確実に防ぐとともに、カバー３の前後左右への動きも規制することができる。
【００３３】
以上のようにしてカバー３がバッテリＢを覆った状態となったならば、重なり合っている受け面１２ａ、１４ａと傾斜面２６ａ、２７ａにクリップ３１、３３をそれぞれ挿入して、カバー３をバッテリホルダ１に固定する。
【００３４】
逆に、バッテリホルダ１からカバー３を取り外すときには、クリップ３１、３３を抜いた後、カバー３の傾斜面２６ａ、２７ａを広げながら、カバー３をバッテリホルダ１から引き離すようにすればよい。
【００３５】
以上述べたバッテリボックスにおいては、カバー３をバッテリホルダ１に取り付ける際に、カバー３側の傾斜面２６ａ、２７ａをバッテリホルダ１側の傾斜する受け面１２ａ、１４ａに重なり合うようにすればよいので、バッテリホルダ１に対するカバー３の位置決めを容易に行うことができる。
【００３６】
また、作業者側に面を向ける傾斜面２６ａ、２７ａに対して、ねじやクリップ等の連結部材を取り付けたり、外したりすればよいので、真横（側面２６、２７に対して垂直）に連結部材を取り付けたり、取り外したりするのに比べて、その作業性を格段に向上させることができる。
【００３７】
また、カバー３をバッテリホルダ１に取り付けた状態ではクリップ３１、３３が折曲部１７、１８の裏側（車両側）に位置し、しかもクリップ３１、３３を取り付ける傾斜面２６ａ、２７ａが側面２６、２７に対して段差をもって内側に位置するので、クリップ３１、３３が外観上に表れにくく、外観品質を向上させることができる。
【００３８】
以上、本発明を種々の実施形態と共に説明したが、本発明はこれらの実施形態にのみ限定されるものではなく、本発明の範囲内で変更等が可能である。
【図面の簡単な説明】
【００３９】
【図１】本実施形態のバッテリボックスが搭載されるトラックの一例を示す図である。
【図２】カバーをバッテリホルダから取り外した状態にあるバッテリボックスの斜視図である。
【図３】バッテリホルダの斜視図である。
【図４】カバーの側面図である。
【図５】カバーとバッテリホルダとの要部を示す図である。
【符号の説明】
【００４０】
１              バッテリホルダ
２              バンド
３              カバー
４              底面
５、６          側面
１２、１４      凸状部
１２ａ、１４ａ  受け面
１７、１８      折曲部
２４            前面
２５            上面
２６、２７      側面
２６ａ、２７ａ  傾斜面
２９            支持部
２９ａ          突部
３０            係合穴
３１、３３      クリップ
３２、３４      穴
【図１】
2007045294.tif 000003
【図２】
2007045294.tif 000004
【図３】
2007045294.tif 000005
【図４】
2007045294.tif 000006
【図５】
2007045294.tif 000007